(57)【要約】  【課題】  屏風枠体同士を接続する折り畳み構造の連結部分を改良することにより、枠体デザインの自由度を高めて新鮮で斬新な外観、形状を実現すると共に、その生産性を向上させ、より低廉にて市場に提供できる装飾用のミニチュア屏風を提供する。  【解決手段】  細飾り材製の左右縦枠部２１，２１と、それら縦枠部２１，２１上下端間に掛け渡された細飾り材製の上下横枠部２２，２２とによって枠組みした外周枠２の内側に装飾面体２４が一体的に組み込まれてなる単位飾り枠体１，１を、互いにそれら細飾り材の材厚以上の間隔を空けた平面直線状配置で少なくとも左右一対のものとして隣接、配置した上、それら対峙状とした細飾り材間に、鈍し鉄線５，５からなる可塑性線体５，５が、夫々の端部を対峙する細飾り材製縦枠部２１，２１に突き刺し状に一体化してなるものとした装飾用ミニチュア屏風である。【選択図】    図１
0003116008.tif 000002
【実用新案登録請求の範囲】
【請求項１】
細飾り材を枠組みした外周枠の内側に、それら細飾り材材厚を超えない厚みに規制した装飾板または装飾格子等からなる装飾面体が一体的に組み込まれてなるものとした単位飾り枠体を、互いにそれら細飾り材の材厚以上の間隔を空けた平面直線状配置で少なくとも左右一対のものとして隣接、配置した上、それら対峙状とした細飾り材間に、１本または上下所定間隔を置いた複数本の可塑性線体が、夫々の端部を対峙する細飾り材に突き刺し状に一体化してなるものとしたことを特徴とする装飾用ミニチュア屏風。
【請求項２】
細飾り材を枠組みした外周枠の内側に、それら細飾り材材厚を超えない厚みに規制した装飾板または装飾格子等からなる装飾面体が一体的に組み込まれてなるものとした単位飾り枠体を、互いにそれら細飾り材の材厚以上の間隔を空けた平面直線状配置で少なくとも左右一対のものとして隣接、配置した上、それら対峙状とした細飾り材間に、１本または上下所定間隔を置いた複数本の可塑性線体が、夫々の端部を対峙する細飾り材に突き刺し状に一体化し、当該可塑性線体の可撓性を利用して各単位飾り枠体同士を互いに折畳み、任意開き角度の展開自在とし、且つその折畳み状態、あるいは任意角度の展開状態のままに姿勢維持可能にしてなるものとしたことを特徴とする装飾用ミニチュア屏風。
【請求項３】
細飾り材を枠組みした外周枠の内側に、それら細飾り材材厚を超えない厚みに規制した装飾板または装飾格子等からなる装飾面体が一体的に組み込まれてなるものとした単位飾り枠体を、互いにそれら細飾り材の材厚以上の間隔を空けた平面直線状配置で少なくとも左右一対のものとして隣接、配置した上、それら対峙状とした細飾り材間に、１本または上下所定間隔を置いた複数本の所定長寸法に設定された鈍し鉄線からなる可塑性線体が、夫々の端部を対峙する細飾り材に突き刺し状に一体化してなるものとしたことを特徴とする装飾用ミニチュア屏風。
【請求項４】
左右間所定距離を隔て概略鉛直状に配された細飾り材製の左右縦枠部と、それら縦枠部上下端間に渡り略水平状に掛け渡され、一体化された細飾り材製の上下横枠部とによって枠組みした外周枠の内側に、それら細飾り材材厚を超えない厚みに規制した装飾板または装飾格子等からなる装飾面体が一体的に組み込まれてなるものとした単位飾り枠体を、互いにそれら細飾り材の材厚以上の間隔を空けた平面直線状配置で少なくとも左右一対のものとして隣接、配置した上、それら対峙状とした細飾り材間に、上下所定間隔を置いた２本以上の所定長寸法に設定された鈍し鉄線からなる可塑性線体が、夫々の端部を対峙する細飾り材製縦枠部に突き刺し状に一体化してなるものとしたことを特徴とする装飾用ミニチュア屏風。
【請求項５】
単位飾り枠体は、可塑性線体の端部を結合した縦枠部に対応する側の上下横枠部端部を夫々左右方向外側に向けて所定寸法分延伸させ、その部分を可塑性線体保護部とするよう形成されてなるものとした、前記請求項１ないし４何れか一項記載の装飾用ミニチュア屏風。
【請求項６】
単位飾り枠体は、平面直線状配置としたときに互いに隣接、対峙状となる細飾り材側面の夫々適宜高さとなる２箇所以上に略水平状に穿孔した下孔に対し、その可塑性線体の対応端部が突き刺し状に挿入された上、必要に応じて接着剤によって一体化されてなるものとした、前記請求項１ないし５何れか一項記載の装飾用ミニチュア屏風。
【請求項７】
単位飾り枠体は、平面直線状配置としたときに互いに隣接、対峙状となる細飾り材側面の夫々適宜高さとなる２箇所以上に略水平状に穿孔した下孔に対し、その可塑性線体の対応端部が突き刺し状に挿入され、接着剤によって一体化されてなるものとした上、それら各細飾り材側面に設けた上下２箇所以上の下孔の前後側に、夫々可塑性線体の対応端部との接着部分を隠蔽可能とする前後一対の覆い用縦格子が一体に組み込まれてなるものとした、請求項１ないし６何れか一項記載の装飾用ミニチュア屏風。
【考案の詳細な説明】
【技術分野】
【０００１】
この考案は、一般家庭向けのインテリアに関連するあらゆる分野をその技術分野とするものであり、特に装飾用のミニチュア屏風を製造する分野は勿論のこと、その製造に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                    
【背景技術】
【０００２】
（着目点）
和風、洋風を問わず、一般家庭の玄関やリビングルーム、床の間等の様々な室内空間に、人形、生け花、香炉等をはじめとする様々なオブジェや置物類を装飾するとき、心を和ませる癒しの空間を演出するのに格好の背景となるミニチュアの屏風が多く利用されており、そうした屏風には、各面の連結分部同士を和紙や補強布等を用い、その柔軟性を利用して折り畳みおよび展開可能とした上、各面に絵画や模様等を施した和紙や織物等を貼着したものや、あるいは枠内に平板や細木製の格子を組み込んだ単位枠体同士を、上下複数のヒンジ金具を介して連結し、折り畳みおよび展開可能な構造としたもの等が多く市場に提供されている。
【０００３】
しかしながら、これまで市場に提供されてきた装飾用のミニチュア屏風は、各単位面体同士の折り畳み部分を和紙や補強布等による柔軟性やヒンジ金具等に頼るものとなっているため、折り畳み部分に隣接、対峙する縦枠は必ず鉛直状且つ平行状に設定されている必要があり、さらに互いに干渉するような凹凸形状をもつデザインを施すことが全くできないものとなっており、屏風のデザイン展開を大きく制限してしまう構造であったと云わざるを得ず、また、従前までの折り畳み部分の構造は、製造の際に和紙や補強布を別体の縦枠間に掛け渡すように貼着したり、ヒンジ金具をビスや釘によって打ち付けるという比較的手間の掛かる作業を要していたために、製造工数と部品点数との増大を招き、国内で生産されているものは、市場に大量に供給される低価格の海外製品に太刀打ちできない情況になっているといえる。
【０００４】
（従来の技術）
そうした中、単調なミニチュア屏風のデザイン製を高めようとするものとして、実用新案登録第３１０３８５１号公報「室内インテリア用品」考案として提案されているもののように、複数個の格子部をもつ複数個の格子枠体を相互に折り畳み自在に連結し、格子枠体に障子紙を貼着し、その中の何れか複数個の格子部に着物生地を貼着したものとすることにより、思い出の古着の絵柄等を装飾品として残すことができるようにしたものがあるが、こうした着物の織り柄や絵柄を貼着、利用して付加価値を高めたミニチュア屏風であっても、屏風枠体の折り畳み部分に課せられた構造の制約を解くものではなく、またそのヒンジ構造においても従来品の域を脱するものとはなっておらず、製造作業の工数を増大させる要因を解消するものとはなっていない。                                                                
【特許文献１】（１）実用新案登録第３１０３８５１号公報
【考案の開示】
【考案が解決しようとする課題】
【０００５】
（問題意識）
上記において見てきたとおり、従前までに提案のある「室内インテリア用品」やその他の装飾用のミニチュア屏風に関連する技術は、何れもその屏風枠体の基本的構造を守りつつ、屏風表面の装飾性を高めようとするものが殆ど全てであって、屏風各面の折り畳み分部の製造に多大な経費、労力および時間を費やさざるを得ない構造のままに留まり、また各屏風枠体の隣接する縦枠同士を鉛直、平行状に近接配置しなければならないという制限を受けて、枠体自体の自由なデザインが阻害され、新鮮なあるいは斬新なデザインの屏風の開発の妨げになっていたという問題は依然解消されていなかった。
【０００６】
（考案の目的）
そこで、この考案は、屏風枠体同士を接続する折り畳み構造の連結部分を改良することによって枠体デザインの自由度を高めて新鮮で斬新な外観、形状を実現すると共に、その生産性を向上させ、より低廉にて市場に提供できる装飾用のミニチュア屏風を提供することはできないものかとの判断から、逸速くその開発、研究に着手し、長期に渡る試行錯誤と幾多の試作、実験とを繰り返してきた結果、今回、遂に新規な構造の装飾用ミニチュア屏風を実現化することに成功したものであり、以下では、図面に示すこの考案を代表する実施例と共に、その構成を詳述することとする。                                                      
【課題を解決するための手段】
【０００７】
（考案の構成）
図面に示すこの考案を代表する実施例からも明確に理解されるように、この考案の装飾用ミニチュア屏風は、基本的に次のような構成から成り立っている。
即ち、細飾り材を枠組みした外周枠の内側に、それら細飾り材材厚を超えない厚みに規制した装飾板または装飾格子等からなる装飾面体が一体的に組み込まれてなるものとした単位飾り枠体を、互いにそれら細飾り材の材厚以上の間隔を空けた平面直線状配置で少なくとも左右一対のものとして隣接、配置した上、それら対峙状とした細飾り材間に、１本または上下所定間隔を置いた複数本の可塑性線体が、夫々の端部を対峙する細飾り材に突き刺し状に一体化してなるものとした構成を要旨とする装飾用ミニチュア屏風である。
【０００８】
この基本的な構成からなる装飾用ミニチュア屏風を、表現を変えて示すと、細飾り材を枠組みした外周枠の内側に、それら細飾り材材厚を超えない厚みに規制した装飾板または装飾格子等からなる装飾面体が一体的に組み込まれてなるものとした単位飾り枠体を、互いにそれら細飾り材の材厚以上の間隔を空けた平面直線状配置で少なくとも左右一対のものとして隣接、配置した上、それら対峙状とした細飾り材間に、１本または上下所定間隔を置いた複数本の可塑性線体が、夫々の端部を対峙する細飾り材に突き刺し状に一体化し、当該可塑性線体の可撓性を利用して各単位飾り枠体同士を互いに折畳み、任意開き角度の展開自在とし、且つその折畳み状態、あるいは任意角度の展開状態のままに姿勢維持可能にしてなるものとした装飾用ミニチュア屏風であるということができる。
【０００９】
これをより具体的な構成のものとして示すと、細飾り材を枠組みした外周枠の内側に、それら細飾り材材厚を超えない厚みに規制した装飾板または装飾格子等からなる装飾面体が一体的に組み込まれてなるものとした単位飾り枠体を、互いにそれら細飾り材の材厚以上の間隔を空けた平面直線状配置で少なくとも左右一対のものとして隣接、配置した上、それら対峙状とした細飾り材間に、１本または上下所定間隔を置いた複数本の所定長寸法に設定された鈍し鉄線からなる可塑性線体が、夫々の端部を対峙する細飾り材に突き刺し状に一体化してなるものとした装飾用ミニチュア屏風となる。
【００１０】
そして、さらに具体的な構成のものとして示すと、左右間所定距離を隔て概略鉛直状に配された細飾り材製の左右縦枠部と、それら縦枠部上下端間に渡り略水平状に掛け渡され、一体化された細飾り材製の上下横枠部とによって枠組みした外周枠の内側に、それら細飾り材材厚を超えない厚みに規制した装飾板または装飾格子等からなる装飾面体が一体的に組み込まれてなるものとした単位飾り枠体を、互いにそれら細飾り材の材厚以上の間隔を空けた平面直線状配置で少なくとも左右一対のものとして隣接、配置した上、それら対峙状とした細飾り材間に、上下所定間隔を置いた２本以上の所定長寸法に設定された鈍し鉄線からなる可塑性線体が、夫々の端部を対峙する細飾り材製縦枠部に突き刺し状に一体化してなるものとした構成からなる装飾用ミニチュア屏風といえる。                                  
【考案の効果】
【００１１】
以上のとおり、この考案の装飾用ミニチュア屏風によれば、少なくとも左右一対の各単位飾り枠体同士を互いに平面直線上配置としたとき、隣接、対峙状となる外周枠細飾り材間に、１本または上下所定間隔を置いた複数本の可塑性線体の夫々の端部を突き刺し状に一体化してなるものとし、従来品の和紙や補強布製および金属金具製等のヒンジ機構を廃止、代替えし得るようにしたことから、可塑性線体の可撓性と、その形状維持機能との働きが、各単位飾り枠体同士の折り畳みおよび展開操作を可能にすると共に、それらの開閉角度を任意のままに維持可能なものとすることができ、しかも各可塑性線体の長さを適宜設定して隣接、配置させた単位飾り枠体同士の間隙距離を自在に決定することが可能となり、これによって各単位飾り枠体の外周枠形状デザインの自由度を高水準に確保することができ、従来品に比較して様々な形状デザインの屏風を実現化することができる上、可塑性線体の両端を、対応する外周枠に突き刺して一体化するという、従来品の折り畳み部分構造に比較して遙かに簡単で組み立て容易な構造によって実現し得るものとしたことから、その生産効率を大幅に高めることができ、低価格化の実現に大いに寄与するものになるという秀れた特徴が得られるものである。
【００１２】
加えて、可塑性線体を、焼き鈍し処理された鈍し鉄線によるものとしたものでは、銅線や鉛線等よりも耐久強度に優れる上、鋼線よりも疲労強度が高く、しかもステンレス線やメッキ鉄線等のような光沢や輝きが無く、鉄線の工場生産の段階において既に艶消し黒色系の表面処理が施され、心の癒しに格好の外観を得るものとなっており、特に柿渋や艶消しの漆等を塗装した木材製の細飾り材等を組み合わせた単位飾り枠体の連結には格好の材質であると同時に、他の材質に比較して大幅に廉価にて入手できて潤沢に利用できるという利点を有しており、その結果、ミニチュア屏風を安定的に生産、供給することができるようになるという実用的価値を得ることができる。
【００１３】
また、可塑性線体を、上下所定間隔を置いて２本以上設けたものでは、隣接状に連結された各単位飾り枠体同士が、折り畳まれた状態と、装飾配置される際の互いに任意の開き角度で展開されている状態との双方において捻れや回転等の連結形状の崩れを確実に防止できるものとすることが可能であって、折畳み操作および開閉操作の安定と、装飾配置姿勢の維持とを確実に達成して、取り扱い性を従来品と同等かそれ以上のものとすることができるという利点がある。
【００１４】
さらに、可塑性線体の取り付けには、取付け箇所となる細飾り材に下孔を穿孔した上で対応する線体の端部を突き刺し状に挿着し、必要に応じて接着剤を用いてなるものでは、隣接する単位飾り枠体同士の連結強度を十分に確保できると共に、その連結作業に要する工数を、従来品の和紙や補強布の貼着作業やヒンジ金具のビスや釘による結合作業に比較して大幅に削減することができる上、可塑性線体を突き刺し状に連結する各細飾り材側面の上下２箇所以上の下孔の前後側に、夫々可塑性線体の対応端部との結合部分を隠蔽可能とする前後一対の覆い用縦格子を一体的に組み込むようにしたものでは、結合部分を隠蔽して外観を向上させることができ、しかも別体の覆い用縦格子を後付けすることにより、各単位飾り枠体の組み立て前形状を同一のものとして部品点数の増大や組み立てミスの増加を抑制することができ、さらに前後配置の覆い用縦格子が、可塑性線体の連結端部分を包囲して屏風開閉操作に伴う同連結端部分の集中的（鋭角的）屈曲を阻止するものとなり、連結端部分への応力集中による疲労破断を確実に防止することができるという秀れた効果を発揮できるものになる。                                                                    
【考案を実施するための最良の形態】
【００１５】
上記したとおりの構成からなるこの考案の実施に際し、その最良もしくは望ましい形態について説明を加えていくことにする。
単位飾り枠体は、一隻（二双組も可）をなすミニチュア屏風の少なくとも一扇と二扇とを夫々形成可能とし、その複数枚によって装飾面を複数、連繋表示可能とする機能を果たすものであり、２枚を組み込んだ二曲一隻、４枚を用いた四曲一隻、６枚の組み合わせによる六曲一隻、２枚を組み込んだ屏風を左右２組とした二曲一双等を含む、様々な形式のミニチュア屏風に用いることが可能であって、より具体的には、細飾り材を枠組みした外周枠の内側に、それら細飾り材材厚を超えない厚みに規制した装飾板または装飾格子等からなる装飾面体が一体的に組み込まれてなるものである。
【００１６】
外周枠は、単位飾り枠体の外周縁の強度を確保して形状維持可能とすると共に、その内側に適宜装飾面体を保持して屏風表面に露出、表示可能とし、さらに隣接する単位飾り枠体の互いに対峙する側面同士間に１本または複数本の可塑性線体を突き刺し状に結合可能とする機能を果たすものであり、単位飾り枠体の形状維持を可能とし、可塑性線体の突き刺し状結合による連結に耐える十分な強度を有する素材から形成しなければならず、木材、竹、籐、茅、金属、合成樹脂、陶器、厚紙、その他様々な素材製の細飾り材から形成することが可能であり、その細飾り材の長手方向断面の形状は、内側に装飾面体を固定状に装着可能であって、屏風完成後に複数枚の単位飾り枠体同士が互いに任意の開き角度姿勢とされたときに、自立可能となる接地部分を確保できる形状に設定しなければならず、下面適所に接地用の下向き凸状部分を添設したものとすることが可能であり、当該外周枠体の全体枠形状としては、矩形、三角形、菱形、平行四辺形、台形、円形、楕円形、その外の異形を含む様々な形状、デザインのものとすることが可能である。
【００１７】
左右縦枠部は、概略矩形状の外周枠における左右端縁を形成可能とし、その内側縁に装飾面体の左右外側縁の一部もしくは全部を支持可能とすると共に、その左右双方もしくは左右何れか一方の外側縁に、１本または複数本の可塑性線体の対応する端部を突き刺し状に連結可能とする機能を果たすものであり、装飾面体を支持可能であってしかも可塑性線体端部の突き刺し、結合に耐える十分な強度を有するものとしなければならず、上下端間に上下横枠部を掛け渡し結合されたものとするのが望ましい。
【００１８】
上下横枠部は、概略矩形状の外周枠における上下端縁を形成可能とし、その内側縁に装飾面体の上下外側縁の一部または全部を支持可能とする機能を果たし、各左右端側を左右縦枠部の上下端側に結合したものとすべきであるが、装飾面体自体の強度を介して左右縦枠部と連結、一体化したものとすることが可能であり、下横枠部の下側面の適所には、接地用の１個または複数個の突状部品を一体化したものとすることができ、また、上横枠部の上側面の適所にも上下対象的な形状、配置となる１個または複数個の凸状部品を装着し、上下反転させた何れの姿勢にも接地、装飾できる形状とすることが可能であり、さらに、少なくとも左右端何れか可塑性線体端部が結合される細飾り材の上下に配された端部を、細飾り材の厚み寸法と同等程度延伸、突出状に形成して可塑性線体保護部とすることができる。
【００１９】
可塑性線体保護部は、単位飾り枠体の可塑性線体が結合された側面の、可塑性線体に干渉しない箇所にあって、外力から可塑性線体を保護可能とする機能を果たすものであり、例えば可塑性線体の開閉に伴う形状変化を阻害しないよう、その上下何れかあるはい上下双方の干渉しない箇所に配されて可塑性線体の平面形状を覆い隠す形状に設定することにより、ミニチュア屏風の輸送等に際して外力が加わったときに、可塑性線体に代わって加重を受け止めるようにすることが可能であって、細飾り材の一部を突出させて一体形成するか、またはそのような機能をもつ部品を後付けしたものとことができる。
【００２０】
装飾面体は、外周枠の内側に装着されて屏風の表面もしくは表裏面に露出され、装飾可能とする機能を果たすものであり、インテリアデザイン上求められるあらゆる要素を取り入れることが可能であり、より具体的に示すと、組子による格子、窓、障子、絵画、彫刻または和紙、印刷物、磨りガラス、色ガラス、エッチングガラス、ステンドグラス、布、織物、編み物、樹脂フィルム、金属プレート、木板、合成樹脂板、竹細工、茅、籐、陶器、タイル、七宝焼、ロープ、紐、縄、チェーン、ワイヤー等を含む、様々な装飾品と成り得る物品あるいはそれらの組み合わせによる造形物、デザイン、絵画、模様、色彩等とすることができる。
【００２１】
可塑性線体は、所定の隙間を持って隣接された単位飾り枠体同士を、互いに連結し、折り畳み、且つ任意角度に展開し、自立状に接地させて室内インテリアとして装飾に供することができるよう一体的に連結可能とする機能を果たすものであり、所定の隙間をもって平面直線状配置に隣接する単位飾り枠体同士の互いに対峙する細飾り材の夫々に突き刺し状に結合可能であって、比較的弱い開閉入力によって簡便に撓み、塑性変形してその形状を維持可能な上、容易に疲労破断を生じない柔軟性と耐久強度とを有する素材、形状のものとしなければならず、より具体的には銅製、半田製、亜鉛製、真鍮製、青銅製、鉄鋼製、ステンレス鋼製等とすることが可能であるが、可撓性と耐久性とを兼ね備え、しかも比較的廉価にて入手可能な鈍し鉄線を用いるのが望ましい。
以下では、図面に示すこの考案を代表する実施例と共に、その構造について詳述することとする。                                                                                        
【実施例】
【００２２】
図１の装飾用ミニチュア屏風の斜視図、図２の２本の可塑性線体による連結部分の斜視図、および図３の図２中におけるＡ−Ａ線部分の断面図に図示される事例は、左右間所定距離を隔て概略鉛直状に配された細飾り材製の左右縦枠部２１，２１と、それら縦枠部２１，２１上下端間に渡り略水平状に掛け渡され、一体化された細飾り材製の上下横枠部２２，２２とによって枠組みした外周枠２の内側に、それら細飾り材材厚を超えない厚みに規制した装飾格子２４からなる装飾面体２４が一体的に組み込まれてなるものとした単位飾り枠体１，１を、互いにそれら細飾り材の材厚以上の間隔を空けた平面直線状配置で少なくとも左右一対のものとして隣接、配置した上、それら対峙状とした細飾り材間に、上下所定間隔を置いた２本の所定長寸法に設定された鈍し鉄線５，５からなる可塑性線体５，５が、夫々の端部を対峙する細飾り材製縦枠部２１，２１に突き刺し状に一体化してなるものとした、この考案の装飾用ミニチュア屏風における代表的な一実施例を示すものである。
【００２３】
当該装飾用ミニチュア屏風は、２枚の単位飾り枠体１，１を有する二曲一隻型のものであり、左右２枚の単位飾り枠体１，１は基本的に同一形状に形成され、相互間の折り畳み部分とその周辺部分を左右対称形状とするよう形成されたものとなっており、各単位飾り枠体１は、縦約５ｍｍ横約１０ｍｍの矩形状断面に設定された木製の細飾り材を、所定長さ寸法に裁断した高さ約６０ｍｍの左右縦枠部２１，２１と、長さ約１５０ｍｍの上下横枠部２２，２２とを、上下横枠部２２，２２の左右端から約５ｍｍ内側となる位置に左右縦枠部２１，２１の上下端を対応させ、概略矩形枠状となるよう組み合わせて接着剤を用いて結合した外周枠２と、該外周枠２の内側に縦横２ｍｍの正方形状断面に設定された木製細飾り材を、縦横格子状に組み合わせてなる装飾格子２４からなる装飾面体２４とから形成されたものとなっている。
【００２４】
装飾面体２４を形成する装飾格子２４は、左右縦枠部２１，２１間の離反距離を僅かに超える程度の長さである約１４２ｍｍに設定された複数本の横組子２５，２５，……の両端を、図３中に示すように、先端の無い四角錐状に加工し、また、その端部に対応する左右縦枠部２１，２１の内側壁面前後奥行きの中央付近僅かに後側寄りであって、上下に格子縦寸法置き毎となる複数箇所、夫々にドリル工具か錐等による横方向深さ１ｍｍ前後の擂鉢状嵌溝２３，２３，……を穿孔し、各横格子２５，２５，……の対応する端部を、各嵌溝２３，２３，……に嵌合状に突き立てて図示しない接着剤を用いて一体に結合したものとし、さらに、左右縦枠部２１，２１の上下長寸法を僅かに超える長さとなる６２ｍｍ程度に設定された複数本の縦組子２６，２６，……も、同様に各両端を先端の無い四角錐状に削り、それら各端部に対応する上下横枠部２２，２２の内側壁面前後奥行きの中央付近僅かに前側寄りとなって左右に格子横寸法置き毎となる複数箇所の夫々に、縦方向深さ１ｍｍ前後の擂鉢状嵌溝２３，２３，……を穿孔し、各縦格子枠２６，２６の対応端部を、各嵌溝２３，２３，……に突き立て状に嵌合した上、図示しない接着剤によって一体化し、各横組子２５，２５，……と縦組子２６，２６，……との交叉部分が互いに接合状となるよう配置されたものとなるよう組み込まれている。
【００２５】
左右の単位飾り体１，１の各下横枠部２２，２２の左右均衡配置とするよう所定間隔を隔てた２箇所（図１中合計４箇所）には、夫々先端を切除された短尺円錐状に形成された木製の脚部２７，２７，……が、接着剤によって一体に結合されたものとなっており、互いに隣接状に対峙する縦枠部２１，２１の対峙壁面には、前後奥行き巾の略中央であって上下端から夫々略同じ間隔を隔て、上下両者間にも十分な離反距離を有する２箇所（左右の単位飾り体１，１の合計４箇所）に、図３中に示すように、夫々概略水平（横）方向に３ないし４ｍｍ程度の貫通しない程度の深さとした下孔３，３，……を穿孔し、夫々の対応する左右下孔３，３，……間に、長さ２５ｍｍ前後、直径１ｍｍ前後の鈍し鉄線からなる２本の可塑性線体５，５の両端を、同図３中の白抜き矢印に示すように、突き刺し状に嵌合すると共に、接着剤を用いて強固に一体化したものとしている。
【００２６】
さらに、各可塑性線体５，５の端部が連結された下孔３，３を挟む前後側であって前後奥行き約２ｍｍ巾となる縦枠部２１外側面には、縦横１ｍｍの正方形断面とし、縦枠部２１の上下長さに一致する約６０ｍｍの長さに設定されて前後一対をなす覆い用縦格子３１，３１を接着剤によって固着したものとした上、鈍し鉄線製の可塑性線体５，５および脚部２７，２７，……の各露出部分を除く左右単位飾り枠体１，１の略全体に、柿渋を木目が表れる程度に比較的薄く複数回に渡り塗装して天然木の風合いや風情を表現するよう仕上げたものとなっている。
【００２７】
また、各上下横枠部２２，２２，……の左右両端が、左右縦枠部２１，２１よりも約５ｍｍ程度外側に突出された形状となっているが、可塑性線体５，５が設けられた側に位置する上下横枠部２２，２２，……の端部は、夫々可塑性線体５，５の上下側を覆う可塑性線体保護部４，４，……を形成したものとなっている。
【００２８】
（実施例の作用）
以上のとおりの構成からなる実施例の装飾用ミニチュア屏風は、２枚の左右単位飾り枠体1，１同士を、上下２本の鈍し鉄線製の可塑性線体５，５の対応する端部を夫々突き刺し状に結合して連結したことにより、従来品の和紙や補強布製のヒンジ構造に比較して高い耐久性と形状維持機能とを発揮するものとなる上、蝶番等のヒンジ金具よりも簡便に装着可能であって、組み立て工数を削減することが可能である。
【００２９】
また、従来までの屏風は隣接する縦枠部間にヒンジ金具等を設けるため、近接且つ平行状に配置、形成しなければならなかったが、こうした弊害を解消して上下横枠部２２，２２の左右端を左右縦枠部２１，２１よりも外側に突出した斬新なデザインとすることが可能となり、しかもその形状が可塑性線体５，５の動作を阻害することなく、円滑な折り畳みおよび展開操作を可能としている。
【００３０】
さらに、左右の単位飾り枠体１，１の互いに隣接する縦枠部２１，２１の下孔３，３の前後側夫々に、覆い用縦格子３１，３１を固着したことによって各可塑性線体５，５の端部結合箇所を、隠蔽状として見栄えを確保するものなり、しかも各可塑性線体５，５の上下側に配置された可塑性線体保護部４，４，……が梱包、保管、輸送中の可塑性線体５，５を外力から保護するものとなる。
【００３１】
（実施例の効果）
以上のような構成からなる実施例の装飾用ミニチュア屏風は、前記この考案の効果の項で記載の特徴に加え、図１ないし図３中に示したように、従来品に用いられていたような和紙や補強布の貼着やあるいはヒンジ金具の取り付けによって連結されていた左右単位飾り枠体同士を、比較的廉価にて入手容易な鈍し鉄線製の２本の可塑性線体５，５に替え、それら可塑性線体５，５の各端部を、対応する縦枠部２１，２１に突き刺し状に連結するという簡素な結合構造によって実現し得るようにしたことから、組立て工数の大幅な削減を可能とすると共に経費の節減を実現させ、低価格化を促進することができるという特徴的な利点が得られることとなる。
【００３２】
さらに、鈍し鉄線製の可塑性線体５，５は、軽い入力によって円滑に彎曲、変形し、応力の集中を回避して疲労による破断を防止可能であり、また装飾に用いるときに単位飾り枠体１，１同士を互いに展開した場合の任意角度を維持することができ、ヒンジ金具類と略同等の使用が可能となるという秀れた特徴が得られるものである。
【００３３】
また、縦枠部２１，２１の可塑性線体５，５が結合された壁面箇所の前後に覆い用縦格子３１，３１，……を接着したことにより、２条レール状の切削加工等を行うことなく、製造工程の途中まで左右縦枠部２１，２１を同一部品として製造することを可能とし、組み立てミスの発生を防止できると共に、各覆い用縦格子３１，３１，……が、可塑性線体５，５の結合部分を隠蔽し、良好な外的美観を獲得することができる上、可塑性線体５，５の基部を支えるように包囲して接合部から鋭角的に折曲してしまい、その結果として応力の集中を招き、破断してしまうというトラブルを未然に防止することができるという効果を発揮するものとなる。
【００３４】
そして、可塑性線体５，５の上下に対応する上下横枠部２２の端部夫々に、形成された可塑性線体保護部４，４，……が、可塑性線体５，５の上下側を覆い、特に２枚の単位飾り枠体１，１を互いに折り畳み、出荷用のケースに収納した場合等において、可塑性線体５，５付近に加わる外力を可塑性線体保護部４，４，……が担って保護するものとなり、保管、出荷、輸送中の不用意な破損を防止することができるという利点を有するものである。
【００３５】
（結  び）
叙述の如く、この考案の装飾用ミニチュア屏風は、その新規な構成によって所期の目的を遍く達成可能とするものであり、しかも製造も容易で、従前からの和紙や補強布あるいはヒンジ金具等からなる折り畳み構造を有したミニチュア屏風に比較して略同等かそれ以上の開閉操作性と耐久強度とを確保して十分に簡素化することができ、機能性と外的美観とを損ねることなく経費の節減と製造工数の削減とを実現可能とした上、折り畳み構造部分における制限を排除して様々な意匠の屏風を実現化することに成功したものであり、秀れたデザイン性を追求したインテリア用のミニチュア屏風を比較的低価格にて市場提供することが可能となって、その実用的価値が認められることとなり、家具や室内装飾品の販売店およびその顧客に大いに歓迎され、その秀れた特徴によってミニチュア模型、ドールハウスあるいは土産物、工芸品等の製造、販売業は固よりのこと、各方面からも高く評価されて広範に利用、普及していくものになることが予想される。                                              
【図面の簡単な説明】
【００３６】
図面は、この考案の装飾用ミニチュア屏風の技術的思想を具現化した代表的な一実施例を示すものである。
【図１】装飾用ミニチュア屏風を示す斜視図である。
【図２】可塑性線体の結合構造を示す斜視図である。
【図３】図２中のＡ−Ａ線部分の構造を示す断面図である。
【符号の説明】
【００３７】
１      単位飾り枠体
２      外周枠（細飾り材）
２１    同  縦枠部
２２    同  横枠部
２３    同  擂鉢状嵌溝
２４    同  装飾面体（装飾板または装飾格子）
２５    同  横組子
２６    同  縦組子
２７    同  脚部
３      下孔
３１    同  覆い用縦格子
４      可塑性線体保護部
５      可塑性線体（鈍し鉄線）
【図１】
0003116008.tif 000003
【図２】
0003116008.tif 000004
【図３】
0003116008.tif 000005